(57)【要約】【課題】保安チェックを受けるための書類作成を、簡単に、しかも設備を設置した現場で迅速に作成することができるようにする。【解決手段】この発明のパーソナル端末装置１は、携帯用であり、ガスに関連する設備の保安の適否を判定するための、所定の記載事項が記録された保安台帳を作成する保安台帳作成手段１０を備えることを特徴としている。【選択図】図３
2013137623.tif 000002
【特許請求の範囲】
【請求項１】
携帯用のパーソナル端末装置において、
ガスに関連する設備の保安の適否を判定するための、所定の記載事項が記録された保安台帳を作成する保安台帳作成手段、
を備えることを特徴とするパーソナル端末装置。
【請求項２】
上記設備を、内蔵されたカメラを用いて撮像し保存する撮像手段を備え、
上記保安台帳作成手段は、上記撮像手段により撮像された設備の写真を所定位置に貼付して保安台帳を作成する、
請求項１に記載のパーソナル端末装置。
【請求項３】
上記設備に付与されているコードを読み取り当該設備の関連情報を認識するコード読み取り手段を備え、
上記保安台帳作成手段は、上記コード読み取り手段が認識した当該設備の関連情報を所定位置に記載して保安台帳を作成する、請求項１または２に記載のパーソナル端末装置。
【請求項４】
漏洩試験器が検出したガス配管のガス圧力を読み取り、そのガス圧力に基づいてガス漏れか否かの判別を行うガス漏れ判別手段を備え、
上記保安台帳作成手段は、ガス漏れ判別手段の判別結果を保安台帳の所定位置に記載して保安台帳を作成する、請求項１から３の何れか１項に記載のパーソナル端末装置。
【請求項５】
上記保安台帳作成手段は、上記設備の設置が正規に完了しているか否かの確認情報を所定位置に記載して保安台帳を作成する、請求項１から４の何れか１項に記載のパーソナル端末装置。
【請求項６】
上記設備を、内蔵されたカメラを用いて撮像し保存する撮像手段を備え、
上記保安台帳作成手段は、上記設備の設置が正規に完了しているか否かの目視検査に替えて、上記撮像手段により撮像された設備の写真を所定位置に貼付して目視検査代替用保安台帳を作成する、請求項１から５の何れか１項に記載のパーソナル端末装置。
【請求項７】
ガスに関連する設備の保安の適否を判定するための保安台帳の元となる保安台帳フォーマットを記憶するフォーマット記憶手段を備え、
上記保安台帳作成手段は、上記保安台帳フォーマットに作業者との対話形式で記入された事項を順次記録して保安台帳を作成する、請求項１から６の何れか１項に記載のパーソナル端末装置。
【請求項８】
携帯用のパーソナル端末装置において、
ガスに関連する設備の設置および取扱の要領が記載された手引文書を格納し記憶する手引文書記憶手段と、
上記手引文書の画面表示された諸項目のうち、選択された項目を検索し画面表示する検索表示手段と、
を備えることを特徴とするパーソナル端末装置。
【請求項９】
上記手引文書は、設計、施工、維持管理の各段階で必要となる諸項目の各々の作業手順を示す文書を含んでいる、請求項８に記載のパーソナル端末装置。
【請求項１０】
上記設計段階での諸項目には、施工供給設備のガス発生量の設計を含む、請求項９に記載のパーソナル端末装置。
【請求項１１】
携帯用のパーソナル端末装置において、
ガスに関連する設備設置の見取り図を対話形式で作成する設計支援手段、
を備えることを特徴とするパーソナル端末装置。
【発明の詳細な説明】
【技術分野】
【０００１】
この発明は、携帯用のパーソナル端末装置に関するものである。
【背景技術】
【０００２】
ＬＰガスに関連する設備は、安全を確保するために、その設置工事が完了した時点で、書類を提出し、法令に基づく様々な保安チェックを受け、それに合格して初めてその設備をガス使用者に引き渡しすることができるようになっている。
【０００３】
この書類の作成は、所定のフォーマットが無く、決められた項目を記載しなければならず、煩雑で時間を要するものであった。また、設備を設置した現場で、設備の仕様や、設置状況を撮影した写真等の書類作成に必要となる情報を入手し、一旦事務所に戻って机に座り、それから作成に着手する必要があり、多くの手間を要するものであった。
【０００４】
また、ＬＰガスに関連する設備の設計、設置、維持管理の各段階では、安全を確保するための種々の取り決めがなされており、その取扱い要領を記載した書類も膨大なものとなっている（下記の非特許文献１参照）。このため、設置現場において、その書類を現場に持ち込んで確認したい場合でも、該当箇所を探し当てて読み取るまでに多くの手間が掛り、現場での作業を煩雑なものとしていた。
【０００５】
また、手引文書には種々の設計を行うための手順が示されているものの、それを用いて設計を進める場合は、必ず事務所で行わなければならず、現場においてデータを入力して設計を完了させることができず、設計業務の効率向上を図る余地は十分にあった。
【先行技術文献】
【非特許文献】
【０００６】
【非特許文献１】「ＬＰガス設備設置基準及び取扱要領」、高圧ガス保安協会編、平成１９年１２月１０日改正版
【発明の概要】
【発明が解決しようとする課題】
【０００７】
この発明は上記に鑑み提案されたもので、保安チェックを受けるための書類作成を、簡単に、しかも設備を設置した現場で迅速に作成することができるパーソナル端末装置を提供することを目的とする。
また、現場でも取扱い要領を記載した書類の該当箇所を簡単に開いて読み取ることができ、その記載を参照して現場での作業を速やかにかつ適正に進めることができるようになるパーソナル端末装置を提供することを目的とする。
さらに、設計業務を、場所に関係なく、どこででも円滑にかつ迅速に行うことができ、設計業務の効率を向上させることができるパーソナル端末装置を提供することを目的とする。
【課題を解決するための手段】
【０００８】
上記目的を達成するために、請求項１に記載の発明は、携帯用のパーソナル端末装置において、ガスに関連する設備の保安の適否を判定するための、所定の記載事項が記録された保安台帳を作成する保安台帳作成手段、を備えることを特徴としている。
請求項２に記載の発明は、上記した請求項１に記載の発明において、上記設備を、内蔵されたカメラを用いて撮像し保存する撮像手段を備え、上記保安台帳作成手段は、上記撮像手段により撮像された設備の写真を所定位置に貼付して保安台帳を作成するようにしている。
請求項３に記載の発明は、上記した請求項１または２に記載の発明において、上記設備に付与されているコードを読み取り当該設備の関連情報を認識するコード読み取り手段を備え、上記保安台帳作成手段は、上記コード読み取り手段が認識した当該設備の関連情報を所定位置に記載して保安台帳を作成するようにしている。
請求項４に記載の発明は、上記した請求項１から３の何れか１項に記載の発明において、漏洩試験器が検出したガス配管のガス圧力を読み取り、そのガス圧力に基づいてガス漏れか否かの判別を行うガス漏れ判別手段を備え、上記保安台帳作成手段は、ガス漏れ判別手段の判別結果を保安台帳の所定位置に記載して保安台帳を作成するようにしている。
請求項５に記載の発明は、上記した請求項１から４の何れか１項に記載の発明において、上記保安台帳作成手段は、上記設備の設置が正規に完了しているか否かの確認情報を所定位置に記載して保安台帳を作成するものである。
請求項６に記載の発明は、上記した請求項１から５の何れか１項に記載の発明において、上記設備を、内蔵されたカメラを用いて撮像し保存する撮像手段を備え、上記保安台帳作成手段は、上記設備の設置が正規に完了しているか否かの目視検査に替えて、上記撮像手段により撮像された設備の写真を所定位置に貼付して目視検査代替用保安台帳を作成するようにしている。
請求項７に記載の発明は、上記した請求項１から６の何れか１項に記載の発明において、ガスに関連する設備の保安の適否を判定するための保安台帳の元となる保安台帳フォーマットを記憶するフォーマット記憶手段を備え、上記保安台帳作成手段は、上記保安台帳フォーマットに作業者との対話形式で記入された事項を順次記録して保安台帳を作成するようにしている。
請求項８に記載の発明は、携帯用のパーソナル端末装置において、ガスに関連する設備の設置および取扱の要領が記載された手引文書を格納し記憶する手引文書記憶手段と、上記手引文書の画面表示された諸項目のうち、選択された項目を検索し画面表示する検索表示手段と、を備えることを特徴としている。
請求項９に記載の発明は、上記した請求項８に記載の発明において、上記手引文書は、設計、施工、維持管理の各段階で必要となる諸項目の各々の作業手順を示す文書を含んでいるものである。
請求項１０に記載の発明は、上記した請求項９に記載の発明において、上記設計段階での諸項目には、施工供給設備のガス発生量の設計を含むものである。
請求項１１に記載の発明は、携帯用のパーソナル端末装置において、ガスに関連する設備設置の見取り図を対話形式で作成する設計支援手段、を備えることを特徴としている。
【発明の効果】
【０００９】
この発明では、携帯端末で、ガスに関連する設備の保安の適否を判定するための、所定の記載事項が記録された保安台帳を作成できるようにしたので、保安チェックを受けるための書類作成を、簡単に、しかも設備を設置した現場で迅速に作成することができる。
【００１０】
また、この発明では、ガスに関連する設備の設置および取扱の要領が記載された手引文書を、現場で携帯端末を用いて読むことができるようにしたので、現場でも取扱い要領を記載した書類の該当箇所を簡単に開いて読み取ることができ、その記載を参照して現場での作業を速やかにかつ適正に進めることができるようになる。
【００１１】
さらに、手引文書には種々の設計を行うための手順が示されており、その手順を順に画面表示して作業者との対話形式で設計諸元を決定するようにしたので、作業者の設計業務を的確に支援することができ、作業者は設計業務を、場所に関係なく、どこででも円滑にかつ迅速に行うことができる。
【図面の簡単な説明】
【００１２】
【図１】この発明のパーソナル端末装置と、そのパーソナル端末装置が使用されるガス設備設置先とを概略的に示す図である。
【図２】パーソナル端末装置を示す図で、（ａ）は表面側を、（ｂ）は裏面側を示している。
【図３】この発明のパーソナル端末装置の構成を示すブロック図である。
【図４】ガス漏れ検出時におけるガス配管とパーソナル端末装置との接続状態を示す図である。
【発明を実施するための形態】
【００１３】
以下にこの発明の実施の形態を詳細に説明する。
【００１４】
図１はこの発明のパーソナル端末装置と、そのパーソナル端末装置が使用されるガス設備設置先とを概略的に示す図である。この発明において、作業者は、携帯用のパーソナル端末装置１を用いて、ガス配管工事がなされたガス設備設置先２の現場で、保安チェックを受けるための書類作成を行う。また、ＬＰガスに関連する設備の設置および取扱の要領が記載された手引文書の該当箇所を簡単に検索して読み取ることができる。
【００１５】
ガス設備設置先２では、ガスボンベ２０からのガスが、ガス配管２１、ガスメータ２２およびガス配管２３を通って供給される。ガス配管２３は、屋外に配置された給湯器２４に分岐して配管され、また屋内で使用する種々のガス器具の設置位置まで配管される。屋内では、各部屋に設置されたガスファンヒータ２７，２８、台所に設置されたガスレンジ２９等の各種ガス器具にガスが供給される。屋外の給湯器２４で熱せられた湯は、水配管を介して浴室の浴槽２５やシャワー２６、台所、洗面所等に供給される。
【００１６】
作業者は、ガス配管工事がなされたガス設備設置先２の現場で、パーソナル端末装置１のカメラ機能を用いて写真を撮り、バーコード読み取り機能を用いて各種ガス器具のバーコードを読み取り、また漏洩試験器を用いて検出されたガス圧力でガス漏れチェックを行い、またパーソナル端末装置１の画面１ａを、見ながら対話形式で種々の入力操作を行う等、各種の作業を行う。パーソナル端末装置１は、その結果得られる様々の情報を用いて、保安チェックを受けるための書類作成を自動的に行う。
【００１７】
また、作業者はこのガス設備設置に至る各段階で必要に応じて手引文書の該当箇所を検索して読み取り、設置作業等を進める。
【００１８】
図２はパーソナル端末装置を示す図で、（ａ）は表面側を、（ｂ）は裏面側を示している。パーソナル端末装置１は、図２に示すように、表面側に画面１ａ、各種のキー１ｂ等を備え、裏面側にカメラ１１１、バーコード読み取り機１２１を備え、また側面に電気信号を取り込む入力端子１３１を有している。
【００１９】
パーソナル端末装置１は、ここでは図示されていないＣＰＵ、ＲＯＭ、ＲＡＭを有するマイクロコンピュータ（マイコン）を中心に構成された、例えばスマートフォンタイプのものであり、後述するパーソナル端末装置１の保安台帳作成手段１０、撮像手段１１、コード読み取り手段１２、ガス漏れ判別手段１３、および検索表示手段１５は、マイコンのＲＯＭに記憶された本発明に係るプログラムに従ってＣＰＵが動作するソフトウェアの機能を含むものとなっている。また、フォーマット記憶手段１９ａおよび手引文書記憶手段１９ｂはマイコンのＲＯＭに構築されている。
【００２０】
図３はこの発明のパーソナル端末装置の構成を示すブロック図である。図３において、この発明のパーソナル端末装置１は、作業者が携帯し、ガス設備設置先２において使用するものであり、ＬＰガスに関連する設備の保安の適否を判定するための所定の記載事項が記録された保安台帳を作成する保安台帳作成手段１０と、ＬＰガスに関連する設備の設置および取扱の要領が記載された手引文書を検索表示する検索表示手段１５とを備えている。
【００２１】
パーソナル端末装置１は、各種ガス設備を、内蔵されたカメラ１１１を用いて撮像し保存する撮像手段１１を備え、保安台帳作成手段１０は、その撮像手段１１により撮像された各種ガス設備の写真を所定位置に貼付して保安台帳１０ａを作成する。
【００２２】
なお、ここで各種ガス設備は、図１に示したガス設備設置先２のガスボンベ２０、ガス配管２１、ガスメータ２２、ガス配管２３、給湯器２４、ガスファンヒータ２７，２８、ガスレンジ２９等の各種のガス関連機器をいう。
【００２３】
パーソナル端末装置１は、各種ガス設備に付与されているバーコードを、内蔵されたバーコード読み取り機１２１を用いて読み取り、そのバーコードから当該設備の機種名等を認識するコード読み取り手段１２を備え、保安台帳作成手段１０は、そのコード読み取り手段１２が認識した当該設備の関連情報（器具名、機種、製造番号等）を所定位置に記載して保安台帳１０ｂを作成する。
【００２４】
また、パーソナル端末装置１は、ガス配管からのガス漏れを検出するガス漏れ判別手段１３を備えている。作業者がガス配管からのガス漏れを検出する場合は、先ず図４に示すように、例えばガス配管２３に設けられているガス圧取り出し口２３１に、圧力検出装置７のアダプタ７１をチャッキングで取り付ける。続いて、ケーブル１９で圧力検出装置７とパーソナル端末装置１の入力端子１３１とを接続し、圧力検出装置７が検出したガス配管２３内の圧力をケーブル１９、入力端子１３１を介して、パーソナル端末装置１に取り込む。そして、ガス漏れ判別手段１３は、取り込んだガス圧力によってガス配管２３内での圧力変化を認識し、その圧力変化からガス配管２３の内部でガスが漏洩しているか否かの判別を行い、その判別結果を保安台帳作成手段１０に出力する。保安台帳作成手段１０は、このガス漏れ判別手段１３からのガス漏れ判別結果を内管漏洩試験結果記載欄に記入して保安台帳１０ｃを作成する。
【００２５】
また、保安台帳作成手段１０は、設備の設置が正規に完了しているか否かの確認情報（チェックマーク）を所定位置に記載して保安台帳１０ｄを作成する。この確認情報は、パーソナル端末装置１の画面１ａに所定のチェックシートを表示し、作業者との対話形式で、キー１ｂの操作に応じて入力される。
【００２６】
保安台帳作成手段１０は、設備の設置が正規に完了しているか否かの目視検査に替えて、撮像手段１１により撮像された設備の写真を所定位置に貼付して目視検査代替用保安台帳１０ｅを作成する。
【００２７】
また、このパーソナル端末装置１は、ＬＰガスに関連する設備の保安の適否を判定するための保安台帳の元となる保安台帳フォーマットを記憶するフォーマット記憶手段１９ａを備え、保安台帳作成手段１０は、保安台帳フォーマットに作業者との対話形式で記入された事項を順次記録して各種の保安台帳を作成する。
【００２８】
このパーソナル端末装置１は、ＬＰガスに関連する設備の設置および取扱の要領が記載された手引文書を格納し記憶する手引文書記憶手段１９ｂと、その手引文書の画面表示された諸項目のうち、選択された項目を検索し画面表示する検索表示手段１５とを備え、その選択された項目を画面１ａに表示する。この手引文書は、設計、施工、維持管理の各段階で必要となる諸項目の各々の作業手順を示す文書を含んでおり、作業者は現場でその画面１ａから作業手順を読みとることができる。
【００２９】
パーソナル端末装置１は、さらに設計支援機能を有している。例えば、施工供給設備に必要となるガス発生量の設計を行うには、供給設備が戸別供給方式、集団供給方式、業務用供給方式の何れかに応じて、使用するＬＰガスの種類、設置するガスボンベ容器の大きさ等を決定する必要があるが、この決定を、パーソナル端末装置１は、表示画面１ａでの作業者との対話形式で行う。また、設計段階で必要となる見取り図も、対話形式で作成する。
【００３０】
このように、手引文書には種々の設計を行うための手順が示されており、パーソナル端末装置１はその手順を順に画面表示して作業者との対話形式で設計諸元を決定し、作業者はその現場で設計を完了させる。
【００３１】
以上述べたように、この発明では、携帯端末で、ＬＰガスに関連する設備の保安の適否を判定するための、所定の記載事項が記録された保安台帳を作成できるようにしたので、保安チェックを受けるための書類作成を、簡単に、しかも設備を設置した現場で迅速に作成することができる。
【００３２】
また、現場でも取扱い要領を記載した書類の該当箇所を簡単に開いて読み取ることができ、その記載を参照して現場での作業を速やかにかつ適正に進めることができる。
【００３３】
さらに、手引文書には種々の設計を行うための手順が示されており、パーソナル端末装置１はその手順を順に画面表示して作業者との対話形式で設計諸元を決定することができ、作業者の設計業務を的確に支援することができ、作業者は設計業務を、場所に関係なく、どこででも円滑にかつ迅速に行うことができ、設計業務の効率を向上させることができる。
【００３４】
なお、上記の説明では、ガスに関連する設備として、特にＬＰガスに関連する設備を例として説明したが、ＬＰガスだけでなく他のガスに関連する設備、例えば液化天然ガスや都市ガスに関連する設備に対しても、同様に本発明を適用することができる。
【符号の説明】
【００３５】
１    パーソナル端末装置
１ａ  画面
１ｂ  キー
２    ガス設備設置先
７    圧力検出装置
１０    保安台帳作成手段
１０ａ，１０ｂ，１０ｃ，１０ｄ  保安台帳
１０ｅ  目視検査代替用保安台帳
１１    撮像手段
１２    バーコード読み取り手段
１３    判別手段
１５    検索表示手段
１９    ケーブル
１９ａ  フォーマット記憶手段
１９ｂ  手引文書記憶手段
２０    ガスボンベ
２１，２３  ガス配管
２２    ガスメータ
２４    給湯器
２５    浴槽
２６    シャワー
２７，２８  ガスファンヒータ
２９    ガスレンジ
７１    アダプタ
１１１    カメラ
１２１    バーコード読み取り機
１３１    入力端子
２３１    ガス圧取り出し口
【図１】
2013137623.tif 000003
【図２】
2013137623.tif 000004
【図３】
2013137623.tif 000005
【図４】
2013137623.tif 000006